(57)【要約】【課題】自力で手足を動かすことのできない患者のために設けた音センサーを使用したナースコール子機において、ナースコール親機に対する呼び出しの誤報を減らすことができるようにする。【解決手段】患者の口元がセンサーヘッド３に接近したことを人体近接センサー４にて検出し、かつ、患者が声を発したことを音センサー５にて検出した場合にのみナースコールの呼び出しを行うようにしているので、患者が呼び出しを行う明確な意図を持って口元をセンサーヘッド３に近づけて音声を発した場合にのみナースコールの呼び出しが行われる。一方、患者が呼び出しを行う意図なく口元をセンサーヘッド３から遠ざけている場合には、音センサー５が音声を検出したとしてもナースコールの呼び出しが行われない。これにより、患者の意図しない呼び出しができるだけ発生しないようにすることができ、ナースコール親機に対する誤報の発生を減らすことができる。【選択図】図１
2016179031.tif 000002
【特許請求の範囲】
【請求項１】
人体の接近を検出する人体近接センサーと、
人体が発する声の音圧または人体の呼気の風圧を検出する音センサーと、
前記人体近接センサーおよび前記音センサーにおいてそれぞれ信号の検出が行われたか否かを判定する検出判定部と、
前記検出判定部により、前記人体近接センサーおよび前記音センサーの両方において信号の検出が行われたと判定された場合に限り、ナースコールの呼び出しを行う呼出制御部と、
を備えたことを特徴とするナースコール子機
【発明の詳細な説明】
【技術分野】
【０００１】
本発明は、患者が看護師を呼び出す際に使用するナースコール子機に関し、特に、可撓性を有するフレキシブルアームの先端側に各種センサーを備えるナースコール子機に用いて好適なものである。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、単に患者と記載する）が呼出ボタンを押下することによって看護師や介護師（以下、単に看護師と記載する）を呼び出すことができるように成されたシステムである。
【０００３】
多くのナースコールシステムは、病室のベッド近傍やトイレ、浴室などに設置されるナースコール子機と、ナースステーションに設置されるナースコール親機と、病室や介護室等の各部屋の入口付近に設置される廊下灯と、通話やデータの送受信に関する制御を行う制御機とを備えて構成されている。また、上述した構成に加えて、看護師が携行する携帯端末（例えば、ＰＨＳ（Personal Handy phone System）端末など）とＰＢＸ（Private Branch Exchange：電話交換機）とを備えたナースコールシステムも提供されている。ここで、ナースコール子機としては、呼出ボタンなどの呼出操作部を有するものがある。
【０００４】
ところで、患者の中には、意識はあっても、自力で手足を動かすことのできない容態の方もいる。このような患者が看護師を呼び出すために、息、音、タッチ、光などの手段によって呼び出しを行うことができるようにしたナースコール子機が知られている（例えば、特許文献１、２を参照）。
【０００５】
特許文献１、２に記載のナースコール子機は、可撓性を有するフレキシブルアームの先端に、接触センサー、ブレスセンサー（音センサー）および光学式センサーを配置したセンサーヘッドを備えている。このセンサーヘッドを、患者が自分の意思で動かせる部位の近傍（例えば、口元の近く）に位置決めすることにより、呼出ボタンを押せない患者でも呼び出しを行うことができるようになる。
【先行技術文献】
【特許文献】
【０００６】
【特許文献１】特開２００５−１５２０４６号公報
【特許文献２】特開２００５−１５２０４７号公報
【発明の概要】
【発明が解決しようとする課題】
【０００７】
ここで、特許文献１、２に記載のナースコール子機において、ブレスセンサー（音センサー）を使用する場合、患者の発する音（声）を検出するための感度を高くすると、その患者の周囲で発生する音（他の患者や看護師の会話、テレビの音、騒音など）でもブレスセンサー（音センサー）が音声を検出して呼び出しを行ってしまうため、誤報が行われてしまうという問題があった。
【０００８】
本発明は、このような問題を解決するために成されたものであり、自力で手足を動かすことのできない患者のために設けた音センサーを使用したナースコール子機において、ナースコール親機に対する呼び出しの誤報を減らすことができるようにすることを目的とする。
【課題を解決するための手段】
【０００９】
上述した課題を解決するために、本発明のナースコール子機は、センサーヘッドに人体が近接したこと検出する人体近接センサーを取り付け、この人体近接センサーが人体の接近を検出し、かつ、音センサーが音声を検出した場合に限り、ナースコールの呼び出しを行うようにしている。
【発明の効果】
【００１０】
上記のように構成した本発明によれば、センサーヘッドに対して人体の検出と音声の検出との両方が行われた場合にのみナースコールの呼び出しが行われるので、患者が呼び出しを行う明確な意図を持って口元などをセンサーヘッドに近づけて音声を発した場合にのみナースコールの呼び出しが行われる。一方、患者が呼び出しを行う意図なく口元などをセンサーヘッドから遠ざけている場合には、音センサーが音声を検出したとしてもナースコールの呼び出しが行われない。これにより、患者の意図しない呼び出しができるだけ発生しないようにすることができ、ナースコール親機に対する誤報の発生を減らすことができる。
【図面の簡単な説明】
【００１１】
【図１】本実施形態によるナースコール子機の構成例を示す図である。
【図２】本実施形態によるナースコール子機の機能構成例を示すブロック図である。
【発明を実施するための形態】
【００１２】
以下、本発明の一実施形態を図面に基づいて説明する。図１は、本実施形態によるナースコール子機１０の構成例を示す斜視図である。同図において、ナースコール子機１０は、本体１、フレキシブルアーム２およびセンサーヘッド３を備えて構成されている。
【００１３】
本体１は、患者が使用するベッド上で、患者の頭部が位置する場所の周辺に据えられる。あるいは、本体１は、患者の頭部の周辺に置かれる台などに据えられる。この本体１は、マイクロコンピュータを内蔵しており、後述するナースコールの呼び出しを制御する。
【００１４】
フレキシブルアーム２は、本体１に固定される基端２ａから先端までの途中を自在に湾曲させた状態に維持可能に構成されている。フレキシブルアーム２の基端２ａは、本体１の上部１ａに固定される。また、フレキシブルアーム２の先端には、センサーヘッド３が配置される。
【００１５】
センサーヘッド３には、人体近接センサー４および音センサー５が設けられている。また、センサーヘッド３には、人体近接センサー４および音センサー５が実装された基板（図示せず）が内蔵されている。そして、このセンサーヘッド３の基板と本体１のマイクロコンピュータとの間をつなぐ配線（図示せず）が、フレキシブルアーム２の内部に通されている。ここで、フレキシブルアーム２の表面は、非導電性部材により構成されている。
【００１６】
人体近接センサー４は患者の身体の一部（患者の口元など）が接近したことを検出するものであり、センサーヘッドの側面に配置され、上述の基板に電気的に接続されている。この人体近接センサー４は、人体とその他の物体とを区別可能に、かつ、人体の接近を近距離で検出することが可能である。これは、赤外線センサー（人体を検出）と超音波センサー（距離を検出）とを組み合わせることにより実現可能であるが、本実施形態の人体近接センサー４はこれに限定されることはない。
【００１７】
音センサー５は、患者の発する声の音圧または、患者の呼気の風圧を検出するものである。本実施形態において、音センサー５の検出部には、コンデンサ型マイクロホンを使用しており、患者の発する声の音圧を検出するほか、患者の子機の風圧を検出することができるようになっている。なお、コンデンサ型マイクロホンの代わりに、圧電型マイクロホンを使用しても良い。また、圧力センサーとしての機能を有するものとして、半導体容量式圧力センサーを用いても良い。
【００１８】
以上のように、本実施形態のナースコール子機１０は、人体近接センサー４および音センサー５の二つのセンサーを備え、これらのセンサーを同時に使用可能（同時に信号を検出可能）としている。ない、本体の上部１ａには、各センサー４、５の感度や検出時間を調整するボタン１ｂと、調整されたセンサー４、５の感度や検出時間のレベルを表示する表示灯１ｃとが配置されている。
【００１９】
図２は、本体１が内蔵するマイクロコンピュータによって実現される機能構成例を示すブロック図である。同図に示すように、本実施形態によるマイクロコンピュータ２０は、その機能構成として、検出判定部２１および呼出制御部２２を備えている。なお、検出判定部２１および呼出制御部２２の機能は、マイクロコンピュータ２０が備えるＣＰＵの制御により、ＲＡＭやＲＯＭまたは半導体メモリ等の記録媒体に記憶されたプログラムが動作することによって実現される。
【００２０】
検出判定部２１は、人体近接センサー４、音センサー５においてそれぞれ信号の検出が行われたか否かを判定する。すなわち、検出判定部２１は、人体近接センサー４によって患者の人体の一部の接近が検出されたか否か、音センサー５によって患者の発する声または患者の呼気が検出されたか否かをそれぞれ判定する。
【００２１】
呼出制御部２２は、検出判定部２１により、人体近接センサー４および音センサー５の両方が信号の検出を行った場合に限り、ナースコールの呼び出しを行うように制御する。
【００２２】
以上詳しく説明したように、本実施形態のナースコール子機１０では、患者の口元などがセンサーヘッド３に接近したことを人体近接センサー４にて検出し、かつ、患者が声を発したことを音センサー５にて検出した場合にのみナースコールの呼び出しを行うようにしているので、患者が呼び出しを行う明確な意図を持って口元などをセンサーヘッド３に近づけて音声を発した場合にのみナースコールの呼び出しが行われる。一方、患者が呼び出しを行う意図なく口元などをセンサーヘッド３から遠ざけている場合には、音センサー５が音声を検出したとしてもナースコールの呼び出しが行われない。これにより、患者の意図しない呼び出しができるだけ発生しないようにすることができ、ナースコール親機に対する誤報の発生を減らすことができる。
【００２３】
なお、前述した実施形態では、人体近接センサー４がセンサーヘッド３の先端側に、音センサー５がセンサーヘッド３のフレキシブルアーム２側に設けられているが、これに限定されない。人体近接センサー４と音センサー５とが近い位置に配置されていれば、位置関係はどのようなものであっても構わない。
【００２４】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２５】
１    本体
２    フレキシブルアーム
３    センサーヘッド
４    人体近接センサー
５    音センサー
１０    ナースコール子機
２０    マイクロコンピュータ
２１    検出判定部
２２    呼出制御部
【図１】
2016179031.tif 000003
【図２】
2016179031.tif 000004